(57)【要約】【課題】本発明は浴槽の追い炊き配管構造の改良に関するものであり、追い炊き用の循環配管の浴槽への貫通部を特定し、これによって浴槽貫通部からの漏水をなくしたものであり、更には、受け具をも必要としない配管構造。【解決手段】浴槽の追い炊き配管構造であって、常態で水圧のかからない浴槽のフランジ部や浴槽の水返し部に追い炊き用の循環配管継手の貫通穴を形成したことを特徴とする浴槽の追い炊き配管構造。１‥浴槽、１ａ‥フランジ部、１ｂ‥貫通穴、１０‥循環配管継手、１０ａ‥Ｌ型継手、１０ｂ‥鍔部、１０ｃ‥締め付け部材、１１‥循環配管部、１２‥給排水口。【選択図】図３
2007155292.tif 000002
【特許請求の範囲】
【請求項１】
浴槽の追い炊き配管構造であって、浴槽の常態で水圧のかからない部位に追い炊き用の循環配管継手の貫通穴を形成したことを特徴とする浴槽の追い炊き配管構造。
【請求項２】
浴槽のフランジ部に前記貫通穴を形成した請求項１記載の浴槽の追い炊き配管構造。
【請求項３】
浴槽の水返し部に前記貫通穴を形成した請求項１記載の浴槽の追い炊き配管構造。
【発明の詳細な説明】
【技術分野】
【０００１】
本発明は浴槽の追い炊き配管構造に関するものである。
【背景技術】
【０００２】
従来の浴槽の追い炊き配管構造は、浴槽側面の底面近くに貫通穴を設け、浴室外部から循環配管継手を取り付ける構造となっている。図１はその一例を示す側面図であり、２１は浴槽であり、洗い場２２を一体とした浴槽であり、浴槽２１の側面２１ａの底面近くに貫通穴２１ｂを設け、これに図示しない循環配管継手を通して取り付けるものである。
【０００３】
しかるに、かかる貫通穴２１ｂは常態で水圧がかかる部位にあるため、この部位より漏水が生じることがあり、浴槽２１内の水はこの貫通穴２１ｂより浴槽外（浴室外側）に出てしまう。このため、例えば貫通穴２１ｂに対応して浴槽２１の外壁に予め漏水時の受け具２３を装着しておき、漏水をこの受け具２３にて受け、漏水を洗い場２２へ流すという対策が取られている。しかしながら、受け具２３に全幅の信頼を置くことは難しく、例えば、浴槽２１の側面から受け具２３の離脱、受け具２３内へのごみ等の侵入・堆積等があり、その信頼性、漏水補集能力に懸念があった。
【発明の開示】
【発明が解決しようとする課題】
【０００４】
本発明は浴槽の追い炊き配管構造の改良に関するものであり、追い炊き用の循環配管の浴槽への貫通部を特定して上記の課題を解決しようとするものである。
【課題を解決するための手段】
【０００５】
本発明の要旨は、浴槽の追い炊き配管構造であって、浴槽の常態で水圧のかからない部位に追い炊き用の循環配管継手の貫通穴を形成したことを特徴とする浴槽の追い炊き配管構造である。
【発明の効果】
【０００６】
本発明は上記のように追い炊き用の循環配管の位置を特定したものであり、これによって浴槽貫通部からの漏水をなくしたものであり、更には、従来のような受け具をも必要としないという大きな効果がある。
【発明を実施するための最良の形態】
【０００７】
従来の追い炊き用の循環配管の浴槽への貫通位置は、浴槽の比較的底部に近い位置に貫通穴を穿孔し、ここに循環配管継手を装着していたため、常に浴水中に水没しており、かつ水圧がかかるため、貫通穴より漏水が発生する危険性がありこの漏水対策をする必要があったものである。
【０００８】
しかるに、本発明にあっては、追い炊き用の循環配管の浴槽への貫通位置を特定したもので、浴槽の通常は水圧のかからない部位に形成したものであり、例えば、浴槽のフランジ部、或いは立ち上がり部（水返し部）に設けることにより、漏水の可能性を極めて低減できたものである。
【０００９】
そして、貫通部には従来のような受け具を全く必要としないため、組み立て作業性も、又、コスト的にも優れたものとなった。
【実施例】
【００１０】
以下、本発明を実施例をもって更に詳細に説明する。図２は本発明の第１例を示す浴槽の全体図であり、１は浴槽、２はこれと一体とされた洗い場である。１ａは浴槽１の周囲に形成されたフランジ部である。１０はフランジ部１ａを貫通して装着された循環配管継手であり、１１は循環配管部、１２は給排水口である。循環配管継手１０はフランジ部１ａの裏側より図示しない給湯器に連結される。
【００１１】
図３は図２における主要部の断面図であり、浴槽１の水圧のかからないフランジ部１ａに貫通穴１ｂが穿孔され、この貫通穴１ｂを介して循環配管継手１０を貫通装着するものである。循環配管継手１０は主体はＬ型継手１０ａであり、フランジ部１ａに接触する鍔部１０ｂ及び締め付け部材１０ｃからなっている。循環配管部１１は一対の吸水管及び排水管からなり、給排水口１２に連結されている。この給排水口１２は例えば裏面に備えられた図示しない吸盤にて浴槽１の内壁に固定されるのが好ましい。
【００１２】
尚、図示はしないが、内壁に循環配管部１１及び給排水口１２を受ける窪みを形成し、ここにこれらを納めることによって安定的に収納し、浴槽内を広く使用することができることとなる。そして、通常は循環配管継手１０にはこれを覆うカバ−が、又、循環配管部１１にもカバ−が被されるが、本発明にあっては、これらのカバ−については特に限定するものではなく、図にあってはこれらのカバ−類は省略してある。
【００１３】
図示するように、フランジ部１ａは浴槽１の周囲を形成するフラットな部位であり、ここは水没することはなく、常態では全く水圧のかからない部位である。従って、ここに、循環配管継手１０が貫通する穴１ｂを形成することによって漏水の心配もなくなり、ましてや従来のような漏水用の受け具を備える必要もなくなったものである。
【００１４】
尚、図示はしないが、通常はフランジ部１ａは浴槽１のコ−ナ−部を湾曲させているためこの部位が広くなっている。従って、かかる部位に貫通穴を設けるのが、作業性や装着性に優れるために好ましい。
【００１５】
図４は本発明の第２例を示す浴槽の主要部の断面図であり、１は浴槽、２はこれと一体とされた洗い場である。１ａは浴槽１の周囲に形成されたフランジ部であり、１ｄはこのフランジ部１ａに連なりこれより立ち上がる水返し部である。１０はかかる水返し部１ｄを貫通して装着された循環配管継手であり、１１は循環配管部、１２は給排水口である。循環配管継手１０は水返し部１ｄの裏側より図示しない給湯器に連結される。
【００１６】
図示するように、水返し部１ｄは浴槽１の周囲に形成された立ち上がり部であり、ここは水没することはなく、常態では全く水圧のかからない部位である。従って、ここに、循環配管継手１０が貫通する穴１ｂを形成することによって漏水の心配もなくなり、ましてや従来のような漏水用の受け具を備える必要もなくなったものである。尚、図中４は立ち上がり部の受け部５上に立設された壁パネルである。
【産業上の利用可能性】
【００１７】
本発明は以上の通りであって、浴槽の追い炊き配管構造に適用することによって浴槽の貫通部位からの漏水をなくすことに成功したものであり、その利用価値は極めて高い。
【図面の簡単な説明】
【００１８】
【図１】図１は従来の循環配管継手の取付構造を示す側面図である。
【図２】図２は本発明の循環配管継手の取付構造の第１例を示す全体図である。
【図３】図３は図２の主要部の断面図である。
【図４】図４は本発明の循環配管継手の取付構造の第２例の主要部の断面図である。
【符号の説明】
【００１９】
１‥浴槽、
１ａ‥フランジ部、
１ｂ‥貫通穴、
１ｄ‥立ち上がり部（水返し部）、
２‥洗い場、
１０‥循環配管継手、
１０ａ‥Ｌ型継手、
１０ｂ‥鍔部、
１０ｃ‥締め付け部材、
１１‥循環配管部、
１２‥給排水口。
【図１】
2007155292.tif 000003
【図２】
2007155292.tif 000004
【図３】
2007155292.tif 000005
【図４】
2007155292.tif 000006